(57)【特許請求の範囲】
【請求項１】
建築躯体構造部を構成する鉄骨梁に着脱可能に取り付けられる支持金具本体、この支持金具本体に設けられた係止部、及び前記支持金具本体に設けられた柱状の支え部を備え、並列する２つの前記鉄骨梁にそれぞれ取り付けられた支持金具と、前記各支持金具に設けられた前記係止部に両端部をそれぞれ係止して前記鉄骨梁間に掛け渡された支持棒により形成される架台と、この架台に支持された足場板と、前記支持金具に設けられた前記支え部に嵌合して立設された手摺り柱と、これら手摺り柱に両端部をそれぞれ締結された手摺りとから構成される鉄骨工事用の吊り足場。
【請求項２】
前記支持金具の上部に把手が設けられ、前記支持金具の前記鉄骨梁への取り付け及び取り外しに用いるようにしたことを特徴とする請求項１に記載の鉄骨工事用の吊り足場。
【請求項３】
前記支持金具本体に設けられた前記係止部が１つであり、前記各鉄骨梁にそれぞれ２つの前記支持金具が取り付けられ、前記各鉄骨梁に取り付けられたそれぞれ２つの前記支持金具の前記係止部に各１本の前記支持棒の両端部を係止して前記鉄骨梁間に掛け渡し、間隔をあけた２本の前記支持棒により前記架台を構成し、この架台に足場板を乗せて構成されることを特徴とする請求項１又は２に記載の鉄骨工事用の吊り足場。
【請求項４】
前記支持金具本体が、前記鉄骨梁に被せるようにして装着可能な逆Ｕ字形状とされていることを特徴とする請求項１〜３のいずれかに記載の鉄骨工事用の吊り足場。
【請求項５】
前記係止部が、逆Ｕ字形の前記跨ぎ金具本体の側辺部に形成された穴であり、前記支持棒がその端部を前記穴に差し込んで前記鉄骨梁間に掛け渡されることを特徴とする請求項４に記載の鉄骨工事用の吊り足場。
【発明の詳細な説明】
【０００１】
【発明の属する技術分野】
本発明は鉄骨工事用の吊り足場に関し、更に詳細には例えば鉄骨鉄筋コンクリート（ＳＲＣ）造又は鉄骨コンクリート（ＳＣ）造の構築物を建造する際に鉄骨梁を利用して形成される吊り足場に関する。
【０００２】
【従来の技術】
従来、鉄骨鉄筋コンクリート（ＳＲＣ）造又は鉄骨コンクリート（ＳＣ）造からなる構築物を建造する際には、鉄骨梁を利用して足場を設置することがある。このような足場は、一般的には「鉄骨工事用吊り足場」と呼ばれている。従来、この種の足場は、図６に示されるように鉄骨梁１に多数の吊り鎖２を巻き付けて鉄パイプ３を吊し、この鉄パイプ３に更に別の鉄パイプ４を交差させるように配置してワイヤー等で連結し、その上に作業床５を乗せて構成されていた。
【０００３】
【発明が解決しようとする課題】
しかしながら、従来、この種の鉄骨工事用の吊り足場は、鉄骨梁１に多数の吊り鎖２を所定の間隔で巻き付けるため、設置に時間と手間が掛かり過ぎるという問題があると共に、手摺りが無いため安全性に欠けるという問題もあった。
【０００４】
現在、このような鉄骨工事用の吊り足場は、ハイステージ吊り足場として多少改良されてはいるが、基本的にはその構成に大きな変更はない。このような従来のハイステージ吊り足場についても連続性が悪いという問題があり、その改善が望まれていた。
【０００５】
本発明の目的は、かかる従来の問題点を解決するためになされたもので、短時間に且つ労力を掛けることなく設置でき、しかも手摺りを付けることができることから安全性の高い鉄骨工事用の吊り足場を提供することにある。
【０００６】
【課題を解決するための手段】
本発明は鉄骨工事用の吊り足場であり、前述した技術的課題を解決するために以下のように構成されている。すなわち、本発明の鉄骨工事用の吊り足場は、建築躯体構造部を構成する鉄骨梁に着脱可能に取り付けられる支持金具本体、この支持金具本体に設けられた係止部、及び支持金具本体に設けられた柱状の支え部を備え、並列する２つの鉄骨梁にそれぞれ取り付けられた支持金具と、各支持金具に設けられた係止部に両端部をそれぞれ係止して鉄骨梁間に掛け渡された支持棒により形成される架台と、この架台に支持された足場板と、支持金具に設けられた支え部に嵌合して立設された手摺り柱と、これら手摺り柱に両端部をそれぞれ締結された手摺りとから構成される。
【０００７】
＜本発明における具体的構成＞
本発明の鉄骨工事用の吊り足場は、前述した必須の構成要素からなるが、その構成要素が具体的に以下のような場合であっても成立する。その具体的構成要素とは、支持金具の上部に把手部が設けられ、支持金具の鉄骨梁への取り付け及び取り外しに用いるようにしたことを特徴とする。
【０００８】
また、本発明の鉄骨工事用の吊り足場では、支持金具本体に設けられた係止部が１つであり、各鉄骨梁にそれぞれ２つの支持金具が取り付けられ、各鉄骨梁に取り付けられたそれぞれ２つの支持金具の係止部に各１本の支持棒の両端部を係止して鉄骨梁間に掛け渡し、間隔をあけた２本の支持棒により架台を構成し、この架台に足場板を乗せて構成されることを特徴とする。
【０００９】
更に、本発明の鉄骨工事用の吊り足場では、支持金具本体が、鉄骨梁に被せるようにして装着可能な逆Ｕ字形状とされていることを特徴とする。このように支持金具本体を逆Ｕ字形状とした場合、係止部を逆Ｕ字形の跨ぎ金具本体の側辺部に形成された穴とすることができ、支持棒はその端部をこの穴に差し込んで鉄骨梁間に掛け渡される。
【００１０】
【発明の実施の形態】
以下、本発明の鉄骨工事用の吊り足場を図に示される実施形態について更に詳細に説明する。図１及び図２には本発明の一実施形態に係る鉄骨工事用の吊り足場１０が示されている。この実施形態に係る鉄骨工事用の吊り足場１０は、支持金具である跨ぎ金具１１を含む。
【００１１】
この実施形態の鉄骨工事用の吊り足場１０で使用する跨ぎ金具１１は、図３及び図４に示されるように支持金具本体として逆Ｕ字形をした跨ぎ金具本体１２と、係止部としてその側辺部１３に形成された１つの穴１４と、支え部として跨ぎ金具本体１２の上辺部１５に溶接などで固定された柱状基部１６と、更にこの上辺部１５に溶接などで取り付けられた逆Ｕ字形の把手１７とから構成されている。
【００１２】
本実施形態における鉄骨工事用の吊り足場１０を形成する場合には、この跨ぎ金具１１を４つ使用する。すなわち、図１及び図２に示されるように建築躯体構造部（鉄骨鉄筋コンクリート造又は鉄骨コンクリート造の躯体部）を構成し且つ並列する２つの鉄骨梁１８のそれぞれに跨ぎ金具１１が２つづつ間隔をあけて被せるように装着される。
【００１３】
次いで、並列する２の鉄骨梁１８にそれぞれ装着され且つ相対向する２つの跨ぎ金具１１のそれぞれ側辺部１３に形成された穴１４に支持棒としての鉄パイプ１９の各端部が差し込まれて並列する鉄骨梁１８間に掛け渡される。同様に、もう１組の相対向する２つの跨ぎ金具１１にも支持棒としての鉄パイプ１９の各端部が差し込まれて並列する鉄骨梁１８間に掛け渡される。
【００１４】
これにより、２本の鉄パイプ１９が、並列する鉄骨梁１９間に間隔をあけて橋渡しされたことになる。そして、この２本の鉄パイプ１９を横断するように配置された連結用の横桟２０が緊結金具（以下、クランプと云う）２１によって連結される。この連結用の横桟２０は長さの短い鉄パイプを使用することができ、この横桟２０は少なくとも各跨ぎ金具１１の側辺部１３から僅かに離れた位置に設けられることが好ましいが、並列する鉄骨梁１８間のほぼ中間位置にも設けておくことがより好ましい。
【００１５】
このようにして、支持棒である鉄パイプ１９と横桟２０によって架台が組み立てられ、この架台が４つの跨ぎ金具１１で支持されると、次いで、各跨ぎ金具１１の側辺部１３から僅かに離れた位置に設けられた連結用の横桟２０を利用して足場板２２が２つ並べて乗せられる。すなわち、足場板２２は、その両端側裏面に設けられている嵌合用の凹溝（図示せず）に横桟２０である鉄パイプを相対的にはめ合わせるように乗せて支持される。
【００１６】
これらの足場板２２は、現在使用されている既製のものを使用することができる。この実施形態に係る鉄骨工事用の吊り足場１０では、足場板２２を連結用の横桟２０で支持することで設置するようにしたが、並列する鉄骨梁１８間に橋渡しされた２本の鉄パイプ１９を用いて支持するようにしてもよい。
【００１７】
その後、各跨ぎ金具１１の上辺部１５に設けられた柱状基部１６を利用して手摺り柱２３が立設される。具体的には、手摺り柱２３も鉄パイプが使用され、この鉄パイプの下端開放部からその内部通路に柱状基部１６を嵌入するようにして手摺り柱が立てられる。
【００１８】
各跨ぎ金具１１の上辺部１５に手摺り柱２３が立設されると、相対向する２つの跨ぎ金具１１に支持された２つの手摺り柱２３間に手摺り２４が配置され、クランプ２１によって手摺り柱２３に締結される。これにより、本実施形態の鉄骨工事用の吊り足場１０が形成される。
【００１９】
鉄骨工事用の吊り足場１０が形成された後は、この吊り足場を利用して、種々の作業が行われ、その一部として図５に示されるように通常の作業手順によって鉄骨梁１８に沿って主筋２５が配筋され、またあばら筋即ちスターラップ２６も配筋される。但し、スターラップ２６は、前述した吊り足場１０を設置した場所は除いてセットされる。
【００２０】
吊り足場１０が設置されている個所におけるスターラップ２６は、足場板２２や架台を跨ぎ金具１１から取り外した後（跨ぎ金具１１は鉄骨梁１８に装着したまま残す）にセットされる。このようにして必要な配筋が終わると、最後にスターラップ２６の間から跨ぎ金具１１が、把手１７を持って引き上げられ、鉄骨梁１８から取り外される。
【００２１】
前述したようにして形成される鉄骨工事用の吊り足場１０は、作業用の通路専用として利用することもできるが、これは単なる使用態様に過ぎず、本発明はその使用方法によって限定されるものではない。また、既存の足場板を使用する関係で、連結用の横桟２０が跨ぎ金具１１から多少離れて設置される場合には、跨ぎ金具１１に近接する位置で鉄パイプ１９にクランプ２１を取り付けて当該パイプ１９の抜け止めを図ることも必要である。
【００２２】
前述した実施形態の鉄骨工事用の吊り足場１０では、鉄骨梁に装着された跨ぎ金具のそれぞれに鉄パイプを係止して鉄骨梁間に橋渡し、次いで横桟を取り付けて架台を組み立て、その後足場板を乗せるようにしたが、本発明では足場板を乗せる架台を予め組み立てておき、この架台を相対向するそれぞれ２つの跨ぎ金具に係止するようにしてもよく、その組立て手順は問題とされない。
【００２３】
更に、前述した実施形態の鉄骨工事用の吊り足場１０では、足場板を支持するための架台を構成する鉄パイプの端部を跨ぎ金具本体の側辺部に形成した穴に差し込んでこれを支持するようにしたが、本発明はこのような穴に限定されるものではなく、鉄パイプなどの支持棒の端部を受けることができる樋状の受け金を側辺部に設けてもよい。
【００２４】
【発明の効果】
以上説明したように、本発明の鉄骨工事用の吊り足場によれば、独特な構造の支持金具を並列する鉄骨梁に装着し、これに支持棒を組み付けて架台を構成し、これに足場板を乗せるだけで手摺り付きの鉄骨工事用の吊り足場を形成することができるようにしたことから、安全性の高い鉄骨工事用の吊り足場を短時間に且つ労力を掛けることなく設置することができ、またその取り外しも極めて容易であるという優れた効果を奏する。
【図面の簡単な説明】
【図１】本発明の一実施形態に係る鉄骨工事用の吊り足場の構造を概略的に示す構成説明図である。
【図２】図１に示される鉄骨工事用の吊り足場を２−２線に沿って切断して示す断面図である。
【図３】図１に示される鉄骨工事用の吊り足場を構成する跨ぎ金具を示す斜視図である。
【図４】図３に示される跨ぎ金具の側面図である。
【図５】鉄骨梁に跨ぎ金具を残した状態で鉄筋が配筋された状態を示す鉄骨梁の断面図である。
【図６】従来の鉄骨工事用の吊り足場を示す斜視図である。
【符号の説明】
１０  鉄骨工事用の吊り足場
１１  跨ぎ金具（支持金具）
１２  跨ぎ金具本体（支持金具本体）
１３  側辺部
１４  穴（係止部）
１５  上辺部
１６  柱状基部（支え部）
１７  把手
１８  鉄骨梁
１９  鉄パイプ（支持棒）
２０  鉄パイプ（横桟）
２１  クランプ
２２  足場板
２３  手摺り柱
２４  手摺り
【図１】
0004148631.tif 000002
【図２】
0004148631.tif 000003
【図３】
0004148631.tif 000004
【図４】
0004148631.tif 000005
【図５】
0004148631.tif 000006
【図６】
0004148631.tif 000007